(57)【要約】【課題】例えば手のひらの上で内容物を造形することができる泡吐出器を提案する。【解決手段】本発明の泡吐出器は、容器の口部に装着されるベースキャップ１と、上方付勢されたステム１５を有しベースキャップ１によって容器の口部に保持されるポンプ２と、ステム１５に接続されるとともに下方に向けて押圧可能に設けられる押圧ヘッド３とを備え、押圧ヘッド３を押し下げることによってポンプ２を駆動させ、容器に収容した内容物を泡状にして吐出させることが可能であって、押圧ヘッド３は、ステム１５から送給される内容物を通す内部通路Ｔ１と、内部通路Ｔ１の下流側に設けられ、周方向に間隔をあけてそれぞれが径方向外側に向けて延在するとともに先端に内容物の吐出口Ｐを備える複数の分岐通路Ｔ２を備えることを特徴とする。【選択図】図１
2020033064.tif 000002
【特許請求の範囲】
【請求項１】
容器の口部に装着されるベースキャップと、上方付勢されたステムを有し該ベースキャップによって該容器の口部に保持されるポンプと、該ステムに接続されるとともに下方に向けて押圧可能に設けられる押圧ヘッドとを備え、該押圧ヘッドを押し下げることによって該ポンプを駆動させ、該容器に収容した内容物を泡状にして吐出させる泡吐出器であって、
前記押圧ヘッドは、前記ステムから送給される内容物を通す内部通路と、該内部通路の下流側に設けられ、周方向に間隔をあけてそれぞれが径方向外側に向けて延在するとともに先端に内容物の吐出口を備える複数の分岐通路とを備える泡吐出器。
【請求項２】
前記押圧ヘッドは、一端側に前記ステムの上端に接続されるステム連結部を有するとともに他端側にノズルを有する押圧ヘッド本体部と、一端側に該ノズルの先端に接続されるノズル連結部を有するとともに他端側に前記分岐通路をそれぞれ形成する複数の吐出筒を有する吐出部と、を備える請求項１に記載の泡吐出器。
【請求項３】
前記吐出部は、前記ノズル連結部と前記吐出筒との間に、前記ノズルに沿って延在した後に下方に向けて折れ曲がる屈曲部を有する請求項２に記載の泡吐出器。
【請求項４】
前記吐出部は、一端側に前記ノズル連結部を有する中継筒部と、該中継筒部の他端側に接続されるとともに前記吐出筒の上部を形成する上側吐出筒を備える上部吐出部と、該上部吐出部に連結するとともに前記吐出筒の下部を形成する下側吐出筒を備える下部吐出部と、によって構成される請求項２又は３に記載の泡吐出器。
【請求項５】
前記吐出部は、一端側に前記ノズル連結部を有するとともに前記吐出筒の上部を形成する上側吐出筒を備える上部吐出部と、該上部吐出部に連結するとともに前記吐出筒の下部を形成する下側吐出筒を備える下部吐出部と、によって構成される請求項２又は３に記載の泡吐出器。
【請求項６】
前記吐出口は、前記上側吐出筒の先端に位置する上部吐出口部分と、前記下側吐出筒の先端に位置する下部吐出口部分によって構成される、請求項４又は５に記載の泡吐出器。
【発明の詳細な説明】
【技術分野】
【０００１】
本発明は、押圧ヘッドを押し下げてポンプを駆動させ、押圧ヘッドの吐出口から泡状の内容物を吐出させる泡吐出器に関する。
【背景技術】
【０００２】
近年、容器に収容した内容物を吐出させる際、吐出した内容物によって所定形状の造形物が形成されるものが出始めている。例えば特許文献１に示された吐出ヘッドは、頂部に位置する造形壁に、内容物が通過する複数の成形孔が設けられていて、これらの成形孔から吐出される内容物の造形要素が造形壁の面上で組み合わさることで、所定の造形物（例えば薔薇のような八重咲きの花を模したもの）が形成されるようにしている。
【先行技術文献】
【特許文献】
【０００３】
【特許文献１】特開２０１６−２６９６２号公報
【発明の概要】
【発明が解決しようとする課題】
【０００４】
ところで特許文献１の吐出ヘッドは、頂部の造形壁で形成された造形物を手などで拭って塗布するものであるが、例えば手のひらの上で内容物を所定の形状に造形することができれば、塗布先に塗布する直前まで造形物の形状を楽しむことができるうえ、吐出した内容物をそのまま塗布先に塗布することができる。
【０００５】
本発明は、このような点に鑑みてなされたものであり、内容物が例えば手のひらの上で所定の形状に造形される泡吐出器を提供することを目的とする。
【課題を解決するための手段】
【０００６】
本発明は、容器の口部に装着されるベースキャップと、上方付勢されたステムを有し該ベースキャップによって該容器の口部に保持されるポンプと、該ステムに接続されるとともに下方に向けて押圧可能に設けられる押圧ヘッドとを備え、該押圧ヘッドを押し下げることによって該ポンプを駆動させ、該容器に収容した内容物を泡状にして吐出させる泡吐出器であって、
前記押圧ヘッドは、前記ステムから送給される内容物を通す内部通路と、該内部通路の下流側に設けられ、周方向に間隔をあけてそれぞれが径方向外側に向けて延在するとともに先端に内容物の吐出口を備える複数の分岐通路とを備える泡吐出器である。
【０００７】
前記押圧ヘッドは、一端側に前記ステムの上端に接続されるステム連結部を有するとともに他端側にノズルを有する押圧ヘッド本体部と、一端側に該ノズルの先端に接続されるノズル連結部を有するとともに他端側に前記分岐通路をそれぞれ形成する複数の吐出筒を有する吐出部と、を備えることが好ましい。
【０００８】
前記吐出部は、前記ノズル連結部と前記吐出筒との間に、前記ノズルに沿って延在した後に下方に向けて折れ曲がる屈曲部を有することが好ましい。
【０００９】
前記吐出部は、一端側に前記ノズル連結部を有する中継筒部と、該中継筒部の他端側に接続されるとともに前記吐出筒の上部を形成する上側吐出筒を備える上部吐出部と、該上部吐出部に連結するとともに前記吐出筒の下部を形成する下側吐出筒を備える下部吐出部と、によって構成されることが好ましい。
【００１０】
前記吐出部は、一端側に前記ノズル連結部を有するとともに前記吐出筒の上部を形成する上側吐出筒を備える上部吐出部と、該上部吐出部に連結するとともに前記吐出筒の下部を形成する下側吐出筒を備える下部吐出部と、によって構成されることが好ましい。
【００１１】
前記吐出口は、前記上側吐出筒の先端に位置する上部吐出口部分と、前記下側吐出筒の先端に位置する下部吐出口部分によって構成されることが好ましい。
【発明の効果】
【００１２】
本発明に従う泡吐出容器においては、押圧ヘッドの下に手のひらを差し入れるとともに反対の手で押圧ヘッドを押し下げると、複数の分岐通路を通して吐出口のそれぞれから内容物が吐出されて、差し入れた手のひらの上に、分岐通路の延在する向きや長さの他、吐出口の数や大きさに応じた所定形状の造形物を形成することができる。このため、塗布先に塗布する直前まで手のひらの上の造形物を目で見て楽しむことができるうえ、手のひらの造形物をそのまま塗布先に塗布することができる。また吐出口は、周方向に間隔をあけてそれぞれが径方向外側に向けて延在する分岐通路の先端に設けられているため、それぞれの吐出口から吐出された内容物同士は重なり難くなっている。このため、時間が経過して吐出した内容物が流動し易くなっても造形物の見た目は変わり難く、目で見て楽しめる効果を長時間維持することができる。
【図面の簡単な説明】
【００１３】
【図１】本発明に従う泡吐出器の第一実施形態を示した側面視での断面図である。
【図２】（ａ）は図１に示した矢印Ａに沿う矢視図であり、（ｂ）は矢印Ｂに沿う矢視図である。
【図３】図１の上部吐出部につき、（ａ）は側面視での断面図であり、（ｂ）は底面図である。
【図４】図１の下部吐出部につき、（ａ）は平面図であり、（ｂ）は側面視での断面図である。
【図５】（ａ）は図１に示した泡吐出器から内容物を吐出させる状況を説明する図であり、（ｂ）は手のひらの上に吐出された造形物の一例について説明する図である。
【図６】本発明に従う泡吐出器の第二実施形態を示した側面視での断面図である。
【図７】（ａ）は図６に示した矢印Ｃに沿う矢視図であり、（ｂ）は矢印Ｄに沿う矢視図である。
【図８】図６の上部吐出部につき、（ａ）は側面視での断面図であり、（ｂ）は底面図である。
【図９】図６の下部吐出部につき、（ａ）は平面図であり、（ｂ）は側面視での断面図である。
【図１０】（ａ）は図６に示した泡吐出器から内容物を吐出させる状況を説明する図であり、（ｂ）は手のひらの上に吐出された造形物の一例について説明する図である。
【発明を実施するための形態】
【００１４】
まず、本発明に従う泡吐出器の第一実施形態について、図１〜図５を参照しながら説明する。なお、本明細書等において、「上」側、「下」側とは、図１に示すようにシリンダー（符号１０）が下方に位置し、押圧ヘッド（符号３）が上方に位置する状態での向きをいう。
【００１５】
本実施形態の泡吐出器は、ベースキャップ１、ポンプ２、押圧ヘッド３を備えていて、ボトル状をなす容器１００に装着して使用される。
【００１６】
ベースキャップ１は、容器１００の口部に装着され、この口部に対してポンプ２を保持するものである。本実施形態のベースキャップ１は、有蓋筒状をなすとともに中央部に貫通孔を有するベースキャップ本体１ａを備えている。ベースキャップ本体１ａの上部には、円筒状をなす筒状部１ｂが設けられている。またベースキャップ本体１ａの内周面には、口部に装着するための雌ねじ部１ｃが設けられている。なお、ベースキャップ１を口部に装着する機構は雌ねじ部１ｃによるものに限られず、例えばアンダーカットを利用するものでもよい。
【００１７】
本実施形態のポンプ２は、図１に示すように、シリンダー１０、パイプ１１、パッキン１２、中空ピストン１３、ポペット１４、ステム１５、スプリング１６、ボール弁１７、エアーピストン１８、逆止弁１９、ホルダー２０、発泡部材２１によって構成されている。
【００１８】
シリンダー１０は、下方に位置する小径筒体１０ａと、小径筒体１０ａの上端部に連結する大径筒体１０ｂとを備え、小径筒体１０ａと大径筒体１０ｂとを直列状に配置した構成をなすものである。小径筒体１０ａの下端部は開口していて、この開口にパイプ１１が接続される。また大径筒体１０ｂの上端部は、ベースキャップ１に嵌合保持されるよう構成されている。
【００１９】
パッキン１２は、ドーナツ状をなすものであり、大径筒体１０ｂに挿入されて保持されている。なお、パッキン１２は、容器の口部にベースキャップ１を装着した際に容器１００の口部と大径筒体１０ｂに挟み込まれて、容器１００内を液密且つ気密に閉鎖するものである。
【００２０】
中空ピストン１３は、概略、円筒状をなすものであって、小径筒体１０ａの軸線に沿って移動可能に設けられている。なお、中空ピストン１３の上端部は、径方向内側に向けて縮径している。また中空ピストン１３の下端部は、上下方向に長く延在していて、小径筒体１０ａの内周面に対して摺動可能に当接している。
【００２１】
ポペット１４は、概略、棒状をなしていて、小径筒体１０ａ及び中空ピストン１３の内側において小径筒体１０ａの軸線に沿って移動可能に配されている。なお、ポペット１４の上端部は、上方に向けて拡径していて、通常時は中空ピストン１３の上端部と液密に当接する一方、ポペット１４に対して中空ピストン１３が下方へ移動すると、中空ピストン１３の上端部との間に隙間が形成される。またポペット１４の下端部は、下方に移動した際には小径筒体１０ａの下端部における開口を閉鎖するように構成されている。
【００２２】
ステム１５は、中空ピストン１３よりも一回り大きく形成される円筒状をなすものであり、下端部の内側には中空ピストン１３が挿入されている。またステム１５の上部内側には、中央部に貫通孔を有するとともにボール弁１７を下方から支持する支持壁１５ａが設けられている。
【００２３】
スプリング１６は、本実施形態では螺旋状に巻き回されるものである。ここでスプリング１６は、図１に示すようにポペット１４の径方向外側であって、中空ピストン１３とポペット１４との間に配されている。これにより中空ピストン１３は、ポペット１４に対して離反する向きに付勢される。
【００２４】
ボール弁１７は、球状をなすものであって、通常時は自重によって下方へ移動して支持壁１５ａと全周に亘って当接する一方、ステム１５の内側における圧力が高まると支持壁１５ａから離反するものである。
【００２５】
エアーピストン１８は、大径筒体１０ｂの内周面に当接するとともにその軸線に沿って摺動可能に設けられたエアーピストン本体部１８ａを備えている。エアーピストン本体部１８ａの径方向内側には、ステム１５を取り囲む円筒状の筒状ガイド１８ｂが設けられている。なお、筒状ガイド１８ｂの内周面とステム１５の外周面との間には、後述するようにエアーピストン本体部１８ａで加圧された空気が通る隙間が設けられている。またエアーピストン本体部１８ａと筒状ガイド１８ｂとの連結部には、外界からの空気を大径筒体１０ｂ内に取り込むための導入口１８ｃが設けられている。
【００２６】
逆止弁１９は、筒状ガイド１８ｂの外周面に嵌合保持されている。逆止弁１９は、導入口１８ｃを開閉するものであって、通常時はエアーピストン本体部１８ａの裏面に当接して導入口１８ｃを閉鎖する一方、大径筒体１０ｂ内が負圧になるとエアーピストン本体部１８ａの裏面から離反して導入口１８ｃを解放する。
【００２７】
ホルダー２０は、概略、円筒状をなすものであって、ステム１５の上端部に嵌合保持され、ボール弁１７の抜け出しを阻止している。なお、ステム１５の内側であって、支持壁１５ａとホルダー２０の間には、空間（合流空間）Ｇが形成されている。また、ホルダー２０がステム１５に嵌合保持されている部位において、ステム１５の内周壁とホルダー２０の外周壁との間には、合流空間Ｇに向けて空気を流す隙間が設けられている。
【００２８】
発泡部材２１は、これを通過する内容物と空気とを発泡させるものである。本実施形態では、円筒状をなすベースの片面に網目状のメッシュを設けた構造をなしていて、直列状に２個並べた状態でホルダー２０に嵌合保持されている。なお、発泡部材２１の数や配置、及びメッシュの目の大きさなどは、塗布される内容物が最適な泡質になるように適宜選択される。
【００２９】
そして押圧ヘッド３は、押圧ヘッド本体部３ａと吐出部３ｂによって構成されている。
【００３０】
押圧ヘッド本体部３ａは、円筒状をなすとともに上下方向に延在する内筒部３ｃを備えている。内筒部３ｃの下端部は、ホルダー２０を取り囲んでステム１５の上端部に連結するステム連結部３ｄとして機能する。また押圧ヘッド本体部３ａは、内筒部３ｃの径方向外側に設けられ、ベースキャップ１の筒状部１ｂよりも大径になる外筒部３ｅと、内筒部３ｃの上端部から横向きに延在するとともに外筒部３ｅにも連結するノズル３ｆとを備えている。本実施形態のノズル３ｆは、従来の一般的な泡吐出器のノズルと同等になる比較的短い長さで形成されている。
【００３１】
本実施形態の吐出部３ｂは、図１に示すようにノズル３ｆに接続される中継筒部３ｇと、中継筒部３ｇに接続される上部吐出部３ｈと、上部吐出部３ｈの下方に設けられる下部吐出部３ｊとで構成されている。
【００３２】
中継筒部３ｇは、その一端側に、ノズル３ｆの先端に接続されるノズル連結部３ｋを備えている。本実施形態のノズル連結部３ｋは、図１に示すようにノズル３ｆの内側に挿入されて嵌合保持される筒状部分と、この筒状部分よりも大径であって、吐出部３ｂをノズル３ｆに装着する際にノズル３ｆの先端に当接して装着時のストッパーとして機能するフランジ部分とで構成されている。また中継筒部３ｇは、ノズル連結部３ｋから水平方向に沿って比較的長く延在した後、屈曲部３ｍで折れ曲がって下方に向けて延在している。
【００３３】
上部吐出部３ｈは、図１に示すように中継筒部３ｇの他端側に挿入されてこの中継筒部３ｇに接続される連結筒３ｎを備えている。連結筒３ｎの下方には、中継筒部３ｇと同径になる筒状壁３ｐが設けられている。また筒状壁３ｐは、図３に示すように、周方向に間隔をあけて設けられ、それぞれが径方向外側に向けて延在する上側吐出筒３ｑを備えている。本実施形態の上側吐出筒３ｑは、筒状壁３ｐに対して等間隔で合計５つ設けられている。また上側吐出筒３ｑは、図２（ｂ）に示すように下方が平坦になる半円状に形成されている。そして上部吐出部３ｈの下面には、図３に示すように、隣り合う上側吐出筒３ｑの根元に設けられ、下方から上方に向けて延在する円形の位置決め穴３ｒと、図２（ｂ）、図３（ｂ）に示すように上側吐出筒３ｑの幅方向両側部に設けられ、上側吐出筒３ｑの中央部よりも上方に位置する段差部３ｓが設けられている。
【００３４】
下部吐出部３ｊは、図４に示すように、平面視で円形をなす中央壁３ｔと、中央壁３ｔに対して周方向に等間隔で５つ設けられ、それぞれが径方向外側に向けて延在する下側吐出筒３ｕを備えている。ここで下側吐出筒３ｕは、図２（ｂ）に示すように上方が平坦になる半円状に形成されている。また下部吐出部３ｊの下面には、図４に示すように、隣り合う下側吐出筒３ｕの根元に設けられ、下方から上方に向けて延在する円形の位置決めピン３ｖと、図２（ｂ）、図４（ｂ）に示すように下側吐出筒３ｕの幅方向両側部に設けられ、下側吐出筒３ｕの中央部よりも上方に位置する段差部３ｗが設けられている。
【００３５】
このような上部吐出部３ｈ及び下部吐出部３ｊは、位置決め穴３ｒに位置決めピン３ｖを挿入するとともに、段差部３ｓ、３ｗ同士を合わせることによって、互いに位置決め保持される。そして図１に示すように、連結筒３ｎを中継筒部３ｇに挿入し、ノズル連結部３ｋをノズル３ｆの先端に挿入することによって、これら３つの部材はノズル３ｆに保持される。ここで、本実施形態の押圧ヘッド３の内部には、ステム１５に通じる内部通路Ｔ１が形成されている。また内部通路Ｔ１の下流側には、上側吐出筒３ｑと下側吐出筒３ｕによって形成される合計５つの分岐通路Ｔ２が設けられている。なお、図２（ｂ）に示すように、組み合わせた上側吐出筒３ｑと下側吐出筒３ｕを吐出筒３ｘと称する。また吐出筒３ｘの先端には、後述するように内容物を外界に吐出させる吐出口Ｐが設けられている。本実施形態の吐出口Ｐは、図２（ｂ）に示すように上側吐出筒３ｑの先端に位置する半円状の上部吐出口部分Ｐ１と、下側吐出筒３ｕの先端に位置する半円状の下部吐出口部分Ｐ２によって、円形に形作られる。
【００３６】
そして、上述した構成になる泡吐出器から内容物を吐出させるには、図１に示すように泡吐出器を容器１００に装着しておき、図５（ａ）に示すように、手のひらＨを吐出部３ｂの下に差し入れ、更に反対の手で押圧ヘッド３を押し下げる。これにより、図１に示したステム１５が下方に移動するため、スプリング１６を弾性変形させつつ中空ピストン１３も押し下げられ、更にポペット１４の下端部が小径筒体１０ａの開口を閉鎖するため、小径筒体１０ａ内は加圧される。そして加圧された小径筒体１０ａの内容物は、ステム１５内を圧送され、中空ピストン１３の上端部とポペット１４の上端部との間の隙間を通過し、更にボール弁１７を押し上げつつ支持壁１５ａの貫通孔を通り抜けて合流空間Ｇに流れ込む。またステム１５が押圧される際は、エアーピストン１８も押し下げられるため、大径筒体１０ｂ内が加圧される。これにより大径筒体１０ｂの空気は、筒状ガイド１８ｂの内周面とステム１５の外周面の間の隙間、内筒部３ｃの内周面とステム１５の外周面との間の隙間、及びステム１５の内周壁とホルダー２０の外周壁との間の隙間を通って合流空間Ｇに流れ込む。そして合流空間Ｇにおいて内容物と空気とが混ざり合った後、これらが発泡部材２１を通過することによって、内容物を発泡させることができる。その後、内部通路Ｔ１と分岐通路Ｔ２を通過した内容物は、図５（ａ）に示すように吐出口Ｐから手のひらＨの上に吐出される。
【００３７】
本実施形態の５つの吐出口Ｐは、周方向に間隔をあけてそれぞれが径方向外側に向けて延在する５つの分岐通路Ｔ２の先端に位置しているため、径方向外側に向かって放射状に吐出される。すなわち吐出口Ｐから吐出された内容物Ｎは、図５（ａ）、（ｂ）に示すように、手のひらＨの上で互いに重なることなく、花びらが５つ円形に並べられたような形状をなすことになる。このため、塗布先に内容物Ｎを塗布するまで、花びらの如き造形物を目で見て楽しむことができる。その後は手のひらＨによって、吐出した内容物Ｎを直接塗布先に塗布することができる。
【００３８】
また、図１に示すように本実施形態の吐出部３ｂは下面が平坦であるため、吐出部３ｂの下に差し入れた手のひらＨを、これに近接又は接触させることができる。すなわち、吐出口Ｐと手のひらＨとの高さが毎回略一定に保たれるため、造形される内容物Ｎの形状を毎回安定させることができる。また吐出部３ｂは、屈曲部３ｍによってノズル３ｆよりも下方に位置していて、泡吐出器や容器を構成する周囲の部材から離隔した位置にあるため、吐出にあたって手のひらＨの差し入れが行い易く、使い勝手に優れている。
【００３９】
ところで、押圧ヘッド３への押圧を解除した後、押圧ヘッド３は、スプリング１６の付勢力でもって上方へ移動する。ここで、吐出された内容物Ｎは手のひらＨで広がって、手のひらＨに密着している。このため、押圧ヘッド３の上昇に伴って吐出口Ｐが垂直方向に移動する際、内容物Ｎは吐出口Ｐに残らずに手のひらＨに残ることになる。すなわち、本実施形態の泡吐出器によれば、吐出口Ｐでの泡切れがよく、内容物Ｎの形状が保たれやすいという利点がある。また吐出口Ｐは、吐出筒３ｘの先端に位置していて、吐出口Ｐの周辺部分と吐出した内容物Ｎとの接触領域は少なくなっているため、泡切れ性が更に良好になる。
【００４０】
次に、本発明に従う泡吐出器の第二実施形態について、図６〜図１０を参照しながら説明する。なお、上述した実施形態と形状や機能が実質的に共通する部分については、図面に同一の符号を付して説明を省略する。
【００４１】
本実施形態の泡吐出器も、前述のものと同様に、ベースキャップ１、ポンプ２、押圧ヘッド３を備えている。なお、押圧ヘッド３を構成する押圧ヘッド本体部３ａは、前述のノズル３ｆよりも長さの長いノズル３ｆ’を備えている。
【００４２】
また本実施形態の吐出部３ｂは、前述の中継筒部３ｇと上部吐出部３ｈを組み合わせた如き上部吐出部３ｈ’と、前述の下部吐出部３ｊに対して形状が一部相違する下部吐出部３ｊ’で構成されている。
【００４３】
上部吐出部３ｈ’は、一端側において、ノズル３ｆ’の先端に接続されるノズル連結部３ｋを備えている。また上部吐出部３ｈ’は、ノズル連結部３ｋから水平方向に沿って延在した後、屈曲部３ｍで折れ曲がり、筒状壁３ｐによって下方に向けて延在している。更に上部吐出部３ｈ’は、図８に示すように筒状壁３ｐに対して周方向に等間隔で設けられ、それぞれが径方向外側に向けて延在する５つの上側吐出筒３ｑ’を備えている。本実施形態の上側吐出筒３ｑ’は、図７（ｂ）に示すように外形が矩形状になるように形成されている。なお、上側吐出筒３ｑ’の先端に位置する上部吐出口部分Ｐ１は、前述の実施形態と同様に半円状になっている。また、図８に示すように上部吐出部３ｈ’の下面には、前述の位置決め穴３ｒと段差部３ｓが設けられている。
【００４４】
また下部吐出部３ｊ’は、図９に示すように、平面視で円形をなす中央壁３ｔと、中央壁３ｔに対して周方向に等間隔で５つ設けられ、それぞれが径方向外側に向けて延在する下側吐出筒３ｕ’を備えている。本実施形態の下側吐出筒３ｕ’は、図７（ｂ）に示すように外形が矩形状になるように形成されている。そして下側吐出筒３ｕ’の先端に位置する下部吐出口部分Ｐ２は、前述の実施形態と同様に半円状に形作られている。そして、図９に示すように下部吐出部３ｊ’の下面には、前述の位置決めピン３ｖと段差部３ｗが設けられている。
【００４５】
このような上部吐出部３ｈ’及び下部吐出部３ｊ’も、位置決め穴３ｒに位置決めピン３ｖを挿入するとともに、段差部３ｓ、３ｗ同士を合わせることによって、互いに位置決め保持される。そして図６に示すように、ノズル連結部３ｋをノズル３ｆ’の先端に挿入することによって、これら２つの部材はノズル３ｆ’に保持される。なお、先の実施形態と同様に本実施形態の押圧ヘッド３も、ステム１５に通じる内部通路Ｔ１と、内部通路Ｔ１の下流側に設けられる合計５つの分岐通路Ｔ２を備えている。
【００４６】
このような本実施形態の泡吐出器も、図１０に示すように手のひらＨを吐出部３ｂの下に差し入れ、更に反対の手で押圧ヘッド３を押し下げることによって、花びらが５つ円形に並べられたような形状で、内容物Ｎを手のひらＨの上に吐出することができる。
【００４７】
以上、本発明について具体的な実施形態を示しながら説明したが、本発明に従う泡吐出器は上述した実施形態に限られるものではなく、特許請求の範囲に従う範疇で種々の変更を加えたものも含まれる。例えば、ポンプ２は上述したものに限られず、他の構造を採用してもよい。また前述の実施形態における吐出口Ｐは円形状であったが、例えば矩形状や楕円形状、ハート形状、波形状など、他の形状でもよい。なお、上述した吐出口Ｐは、半円状の上部吐出口部分Ｐ１と下部吐出口部分Ｐ２を組み合わせて形成していたが、このように複数に分割したものを組み合わせることによって、複雑な形状の吐出口でも容易に形成することができる。また本実施形態においては、手のひらＨを押圧ヘッド３の下に差し入れ、更に反対の手で押圧ヘッド３を押し下げるようにして内容物を吐出したが、吐出方法はこれに限られるものではなく、使用状況に応じて適宜選択すればよい。
【符号の説明】
【００４８】
１：ベースキャップ
１ａ：ベースキャップ本体
１ｂ：筒状部
１ｃ：雌ねじ部
２：ポンプ
３：押圧ヘッド
３ａ：押圧ヘッド本体部
３ｂ：吐出部
３ｃ：内筒部
３ｄ：ステム連結部
３ｅ：外筒部
３ｆ、３ｆ’：ノズル
３ｇ：中継筒部
３ｈ、３ｈ’：上部吐出部
３ｊ、３ｊ’：下部吐出部
３ｋ：ノズル連結部
３ｍ：屈曲部
３ｎ：連結筒
３ｐ：筒状壁
３ｑ、３ｑ’：上側吐出筒
３ｒ：位置決め穴
３ｓ：段差部
３ｔ：中央壁
３ｕ、３ｕ’：下側吐出筒
３ｖ：位置決めピン
３ｗ：段差部
３ｘ：吐出筒
１０：シリンダー
１０ａ：小径筒体
１０ｂ：大径筒体
１１：パイプ
１２：パッキン
１３：中空ピストン
１４：ポペット
１５：ステム
１５ａ：支持壁
１６：スプリング
１７：ボール弁
１８：エアーピストン
１８ａ：エアーピストン本体部
１８ｂ：筒状ガイド
１８ｃ：導入口
１９：逆止弁
２０：ホルダー
２１：発泡部材
１００：容器
Ｈ：手のひら
Ｇ：合流空間
Ｎ：内容物
Ｐ：吐出口
Ｐ１：上部吐出口部分
Ｐ２：下部吐出口部分
Ｔ１：内部通路
Ｔ２：分岐通路
【図１】
2020033064.tif 000003
【図２】
2020033064.tif 000004
【図３】
2020033064.tif 000005
【図４】
2020033064.tif 000006
【図５】
2020033064.tif 000007
【図６】
2020033064.tif 000008
【図７】
2020033064.tif 000009
【図８】
2020033064.tif 000010
【図９】
2020033064.tif 000011
【図１０】
2020033064.tif 000012